(57)【特許請求の範囲】
【請求項１】
ヒンジ部Ａと、ヒンジ部Ｂと、前記ヒンジ部Ｂを中心として回動可能な発光部と、駆動始動部と、該駆動始動部で生じた駆動力を前記発光部に伝達し前記発光部を回動させて起立させる駆動伝達部とを有し、
前記発光部は、前記ヒンジ部Ｂから離間した位置に前記駆動力が伝達される従動部材を有し、
前記駆動伝達部は、前記従動部材に連繋する駆動伝達レバーと、該駆動伝達レバーに固定的に設置された中継レバーとを有し、前記駆動伝達レバーおよび前記中継レバーは、前記ヒンジ部Ａを中心として一体で回動するように構成され、
前記駆動始動部が前記中継レバーを押圧することで、前記中継レバーおよび前記駆動伝達レバーを一体で前記ヒンジ部Ａを中心として回動させるように構成されており、
前記従動部材と前記ヒンジ部Ａとの離間距離が、前記中継レバーの前記駆動始動部に押圧される部位と前記ヒンジ部Ａとの離間距離よりも長いことを特徴とするストロボ装置。
【請求項２】
前記駆動始動部は、ヒンジ部Ｃを中心として回動可能に設けられ、その回動により前記中継レバーを押圧可能な駆動始動レバーと、前記駆動始動レバーを前記ヒンジ部Ｃを中心として回動させるスライドレバーとを有し、
前記駆動始動レバーは、前記中継レバーに当接可能な第１のアームと、前記スライドレバーに当接可能な第２のアームとを備え、前記第１のアームおよび前記第２のアームは、前記ヒンジ部Ｃを中心として一体で回動するように構成され、
前記第１のアームの前記中継レバーとの当接部と前記ヒンジ部Ｃとの離間距離は、前記第２のアームの前記スライドレバーとの当接部と前記ヒンジ部Ｃとの離間距離よりも長い請求項１に記載のストロボ装置。
【請求項３】
前記駆動伝達部は、前記発光部の側部にある請求項１または２に記載のストロボ装置。
【請求項４】
前記従動部材はカムフォロアであり、前記駆動伝達レバーには、前記カムフォロアが係合するカム溝が形成されている請求項１ないし３のいずれかに記載のストロボ装置。
【請求項５】
前記発光部は前記ヒンジ部Ｂが設けられている蓋を有し、
前記駆動伝達レバーは前記発光部が伏倒しているとき前記蓋と平行になる請求項１ないし４のいずれかに記載のストロボ装置。
【請求項６】
前記発光部はストロボ光源を収納するカバーを有し、
前記駆動伝達レバーは前記発光部が伏倒しているとき、前記カバーと前記蓋の幅の差により生じる隙間に収納される請求項５に記載のストロボ装置。
【請求項７】
前記発光部を伏倒させる方向に付勢する伏倒付勢部材を有する請求項１ないし６のいずれかに記載のストロボ装置。
【請求項８】
前記伏倒付勢部材は、前記ヒンジ部Ｂの近傍に設置されている請求項７に記載のストロボ装置。
【請求項９】
前記発光部を起立させる方向に付勢する起立付勢部材を有する請求項１ないし８のいずれかに記載のストロボ装置。
【請求項１０】
前記中継レバーに駆動力を伝達し、ヒンジ部Ｃを中心として回動可能な駆動始動レバーを有し、
前記ヒンジ部Ｃの近傍に前記発光部を起立させる方向に付勢する起立付勢部材を有する請求項１ないし８のいずれかに記載のストロボ装置。
【請求項１１】
前記起立付勢部材は、前記発光部が起立した状態を維持できる程度の付勢力を有する請求項９または１０に記載のストロボ装置。
【請求項１２】
前記起立付勢部材の付勢力は、前記伏倒付勢部材の付勢力よりも大きい請求項９ないし１１のいずれかに記載のストロボ装置。
【請求項１３】
前記発光部の回動角度を制限するストッパーを有する請求項１ないし１２のいずれかに記載のストロボ装置。
【請求項１４】
前記発光部はレンズ鏡筒の移動に連動して起立、伏倒するものである請求項１ないし１３のいずれかに記載のストロボ装置。
【発明の詳細な説明】
【０００１】
【発明の属する技術分野】
本発明は、カメラのストロボ装置に関するものである。
【０００２】
【従来の技術】
カメラのストロボ装置として、ストロボ使用時には発光部が開き、不使用時には発光部が伏倒するリトラクタブルストロボがある。
【０００３】
図７は、従来のストロボ装置（リトラクタブルストロボ）を示す側面図である。
同図に示すように、従来のストロボ装置１１は、駆動始動部１２と、駆動伝達部１３と、発光部１４とを有している。この発光部１４では、回転中心となる部分（ヒンジ部１４１）と、駆動力が伝達される部分（中継レバー１４２）が一体となった構成をしている。
【０００４】
このストロボ装置１１では、駆動始動部１２を図中反時計回りに回動させると、駆動伝達部１３が時計回りに回動し、中継レバー１４２が反時計回りに回動する。これにより、図８に示すように、発光部１４が反時計回りに回動し、発光部１４が起立していた。
【０００５】
このとき、駆動伝達部１３から発光部１４への駆動力の伝達は、駆動伝達部１３の駆動伝達レバー１３１が発光部１４の中継レバー１４２を押圧し、ヒンジ部１４１を介することによりなされていた。
【０００６】
この場合、回転中心であるヒンジ部１４１に駆動力を伝達するので、駆動伝達部１３と発光部１４との距離が近いストロボ装置を製造することができない。そのため、コンパクトなストロボ装置１１を製造することができず、ストロボ１１の収納に大きなスペースを要していた。
しかも、発光部１４の支持は、ヒンジ部１４１のみによってなされていた。
【０００７】
このため、ヒンジ部１４１および中継レバー１４２には駆動力を伝達する際に大きな負荷がかかるので、両者は高い強度を有する必要があり、かかる部品を小型化することが困難であった。また、小型化できたとしても金属などの高強度の材料を使用する必要があり、コストがかかっていた。
【０００８】
さらに、駆動伝達部１３および駆動始動部１２は、狭い幅で発光部１４の側部に収納することができず、これらの設置には大きなスペースが必要であった。
【０００９】
従って、従来のストロボ装置１１では、小型化が困難であり、カメラ本体にコンパクトに収納することが困難であった。
このため、デザイン上の自由度も大きく制限されていた。
【００１０】
【発明が解決しようとする課題】
本発明の目的は、小型化に有利なストロボ装置を提供することにある。
【００１１】
【課題を解決するための手段】
このような目的は、下記（１）〜（１４）の本発明により達成される。
【００１２】
（１）  ヒンジ部Ａと、ヒンジ部Ｂと、前記ヒンジ部Ｂを中心として回動可能な発光部と、駆動始動部と、該駆動始動部で生じた駆動力を前記発光部に伝達し前記発光部を回動させて起立させる駆動伝達部とを有し、
前記発光部は、前記ヒンジ部Ｂから離間した位置に前記駆動力が伝達される従動部材を有し、
前記駆動伝達部は、前記従動部材に連繋する駆動伝達レバーと、該駆動伝達レバーに固定的に設置された中継レバーとを有し、前記駆動伝達レバーおよび前記中継レバーは、前記ヒンジ部Ａを中心として一体で回動するように構成され、
前記駆動始動部が前記中継レバーを押圧することで、前記中継レバーおよび前記駆動伝達レバーを一体で前記ヒンジ部Ａを中心として回動させるように構成されており、
前記従動部材と前記ヒンジ部Ａとの離間距離が、前記中継レバーの前記駆動始動部に押圧される部位と前記ヒンジ部Ａとの離間距離よりも長いことを特徴とするストロボ装置。
【００１３】
（２）  前記駆動始動部は、ヒンジ部Ｃを中心として回動可能に設けられ、その回動により前記中継レバーを押圧可能な駆動始動レバーと、前記駆動始動レバーを前記ヒンジ部Ｃを中心として回動させるスライドレバーとを有し、
前記駆動始動レバーは、前記中継レバーに当接可能な第１のアームと、前記スライドレバーに当接可能な第２のアームとを備え、前記第１のアームおよび前記第２のアームは、前記ヒンジ部Ｃを中心として一体で回動するように構成され、
前記第１のアームの前記中継レバーとの当接部と前記ヒンジ部Ｃとの離間距離は、前記第２のアームの前記スライドレバーとの当接部と前記ヒンジ部Ｃとの離間距離よりも長い上記（１）に記載のストロボ装置。
【００１４】
（３）  前記駆動伝達部は、前記発光部の側部にある上記（１）または（２）に記載のストロボ装置。
【００１５】
（４）  前記従動部材はカムフォロアであり、駆動伝達レバーには、前記カムフォロアが係合するカム溝が形成されている上記（１）ないし（３）のいずれかに記載のストロボ装置。
【００１６】
（５）  前記発光部は前記ヒンジ部Ｂが設けられている蓋を有し、
前記駆動伝達レバーは前記発光部が伏倒しているとき前記蓋と平行になる上記（１）ないし（４）のいずれかに記載のストロボ装置。
【００１７】
（６）  前記発光部はストロボ光源を収納するカバーを有し、
前記駆動伝達レバーは前記発光部が伏倒しているとき、前記カバーと前記蓋の幅の差により生じる隙間に収納される上記（５）に記載のストロボ装置。
【００１８】
（７）  前記発光部を伏倒させる方向に付勢する伏倒付勢部材を有する上記（１）ないし（６）のいずれかに記載のストロボ装置。
【００１９】
（８）  前記伏倒付勢部材は、前記ヒンジ部Ｂの近傍に設置されている上記（７）に記載のストロボ装置。
【００２０】
（９）  前記発光部を起立させる方向に付勢する起立付勢部材を有する上記（１）ないし（８）のいずれかに記載のストロボ装置。
【００２１】
（１０）  前記中継レバーに駆動力を伝達し、ヒンジ部Ｃを中心として回動可能な駆動始動レバーを有し、
前記ヒンジ部Ｃの近傍に前記発光部を起立させる方向に付勢する起立付勢部材を有する上記（１）ないし（８）のいずれかに記載のストロボ装置。
【００２２】
（１１）  前記起立付勢部材は、前記発光部が起立した状態を維持できる程度の付勢力を有する上記（９）または（１０）に記載のストロボ装置。
【００２３】
（１２）  前記起立付勢部材の付勢力は、前記伏倒付勢部材の付勢力よりも大きい上記（９）ないし（１１）のいずれかに記載のストロボ装置。
【００２４】
（１３）  前記発光部の回動角度を制限するストッパーを有する上記（１）ないし（１２）のいずれかに記載のストロボ装置。
【００２５】
（１４）  前記発光部はレンズ鏡筒の移動に連動して起立、伏倒するものである上記（１）ないし（１３）のいずれかに記載のストロボ装置。
【００２９】
【発明の実施の形態】
以下、本発明のストロボ装置を添付図面に示す好適実施例に基づいて詳細に説明する。
【００３０】
図１、図３は、本発明のストロボ装置の実施例を示す側面図、図２、図４は、図１、図３に示すストロボ装置の正面図、図５は、図４中のＡ−Ａ線断面図、図６は、図４中のＢ−Ｂ線断面図である。なお、図１および図２は、ストロボ装置１が伏倒した状態（以下、「伏倒状態」という）を示す図であり、図３および図４は、ストロボ装置１が起立した状態（以下、「起立状態」という）を示す図である。
【００３１】
図１〜図６に示すように、ストロボ装置（リトラクタブルストロボ）１は、カメラ本体５に設置され、カメラ本体５に形成された凹部５１に収納される。
【００３２】
ストロボ装置１は、駆動始動部２と、駆動伝達部３と、発光部４とを有している。
【００３３】
駆動始動部２は、発光部４を起立させるための駆動力を駆動伝達部３に伝達する。
【００３４】
駆動始動部２は、後述する発光部４のカバー４３の図２中左側に位置する。
駆動始動部２は、駆動始動レバー２１と、第１ヒンジ部（ヒンジ部Ｃ）２２と、スライドレバー２３と、ストッパー２４と、第１トーションバネ２５とを有している。
【００３５】
駆動始動レバー２１は、発光部４を起立させるための駆動力を駆動伝達部３に伝達する。この駆動始動レバー２１は、円形の平板から異なる方向に２つの突起が突出した形状をなしている。以下、駆動始動レバー２１において、図３中上方に突出した突起を「第１アーム２１１」と、図３中下方に突出した突起を「第２アーム２１２」という。
【００３６】
駆動始動レバー２１は、第１ヒンジ部２２によって、回動可能に支持されている。さらには、第１アーム２１１が後述する駆動伝達部３中の中継レバー３１を押圧できるようになっている。
【００３７】
駆動始動レバー２１は、第１ヒンジ部２２のまわりに設置された第１トーションバネ（起立付勢部材）２５により、図１および図３中反時計回りに付勢されている。この第１トーションバネ２５は、発光部４が起立するための駆動力を駆動始動レバー２１に与える。
【００３８】
従って、第１トーションバネ２５は、後述する第２トーションバネ４９の付勢力やその他の回動摩擦力に抗して発光部４を起立させ、かつ、発光部４が起立状態を維持できる程度の付勢力（弾性力）を有している。
【００３９】
また、第１トーションバネ２５の一端２５１は、カメラ本体５に固定された支持部材２６に支持されており、第１トーションバネ２５の他端２５２は、駆動始動レバー２１に形成された切り欠き部２１３に係合している。
【００４０】
ストロボ装置１が伏倒状態の時は、駆動始動レバー２１には、第２アーム２１２において、移動可能なスライドレバー２３が当接して、回動を防止している。これにより、後述する中継レバー３１に、第１トーションバネ２５の駆動力が伝達されないようになっている。
【００４１】
スライドレバー２３は、図示しないレンズ鏡筒の後端部に突出形成されており、このレンズ鏡筒の光軸方向の移動に連動して、図１および図３中左右に移動する。
【００４２】
ストッパー２４は、円柱状の部材であり、駆動始動レバー２１が図１中反時計回りに所定の角度回動した場合に当接するように設置されている。これにより、ストッパー２４は、発光部４を起立させるに際して、発光部４の光軸が被写体の照明に適した角度となるように、駆動始動レバー２１が所定量以上回動するのを防止し、駆動始動レバー２１の適切な回動角度を維持する。
【００４３】
駆動伝達部３は、駆動始動部２からの駆動力を発光部４に伝達し、発光部４を起立させることができる。
【００４４】
駆動伝達部３は、後述する発光部４のカバー４３の図２中左側に位置する。ストロボ装置１が伏倒状態の時にこの駆動伝達部３の主要部は、後述する発光部４の蓋４１とカバー４３との幅の差により生じる隙間４８に収納される。
【００４５】
このように、駆動伝達部３が隙間４８に収納されるので、コンパクトなストロボ装置１を得ることができる。従って、カメラ本体５において、駆動伝達部３を収納するためのスペースを大きく確保する必要もなくなり、ストロボ装置１を収納するスペースも小さくすることができる。
【００４６】
この駆動伝達部３は、中継レバー３１と、駆動伝達レバー３２と、第２ヒンジ部（ヒンジ部Ａ）３３とを有している。
【００４７】
中継レバー３１は、駆動始動部２からの駆動力を駆動伝達レバー３２に伝達する。また、中継レバー３１は、第２ヒンジ部３３により回動可能に支持されており、円形の平板に１つの突起が形成された形状をしている。この中継レバー３１の突起（以下、「突起部３１１」という）が、駆動始動レバー２１の第１アーム２１１に押圧されるようになっており、これにより、駆動始動部２からの駆動力を駆動伝達レバー３２に伝達する。
【００４８】
駆動伝達レバー３２は、発光部４を起立させる。駆動伝達レバー３２は、平板上の部材であり、第２ヒンジ部３３により、回動可能に支持されている。
【００４９】
なお、上述したように、駆動始動レバー３２と中継レバー３１とが、第２ヒンジ部３３を介して回動可能に支持されているが、この両者が回動するときの位置関係は不動である。
【００５０】
駆動伝達レバー３２の先端（図３中上方）にはカム溝３２１が形成されている。このカム溝３２１により、発光部４を起立させるための駆動力が、カム溝３２１から後述するカムフォロア４４に伝達される。
【００５１】
さらには、駆動伝達レバー３２には、テーパ３２２が形成されている。
図４に示すように、テーパ３２２を境にして、駆動伝達レバー３２の第２ヒンジ部３３から遠い部分（図４中上部、以下「外方部３２５」という）は、駆動伝達レバー３２の厚さが薄くなっている。一方、このテーパ３２２を境にして、駆動伝達レバー３２の第２ヒンジ部３３に近い部分（図４中下部、以下「内方部３２６」という）は、駆動伝達レバー３２の厚さが厚くなっている。
【００５２】
このように、外方部３２５が内方部３２６より薄くなっていることにより、ストロボ装置１が伏倒状態のとき、駆動伝達レバー３２が発光部４のカバー４３との距離をより小さくすることができる。従って、ストロボ装置１をよりコンパクトにすることができ、カメラ本体５のストロボ装置１を収納するスペースもより小さくすることができる。
【００５３】
発光部４は、露出不足、逆光等、補助投光を必要とする場合に、ストロボ発光可能なモード設定下で発光する。
【００５４】
発光部４は、蓋４１と、第３ヒンジ部（ヒンジ部Ｂ）４２と、カバー４３と、カムフォロア４４と、発光管４５と、リフレクター４６と、窓４７と、第２トーションバネ４９とを有する。
【００５５】
蓋４１は、ストロボ装置１が伏倒状態のとき、蓋４１以外の発光部４を構成する部材がカメラ本体５の外部に露出するのを防止する。
【００５６】
蓋４１は、カメラ本体５に連続した形状をなしている。この蓋４１の図１中左側には、第３ヒンジ部４２が設けられている。この第３ヒンジ部４２により、発光部４は、第３ヒンジ部４２を中心に回動可能にカメラ本体５に支持されている。
【００５７】
この第３ヒンジ部４２のまわりには、第２トーションバネ（伏倒付勢部材）４９が設置されている。この第２トーションバネ４９により、発光部４は、図１および図３中時計回りに付勢されている。そして、中継レバー３１に駆動始動レバー２１からの駆動力が伝達されなくなったとき、すなわち、駆動始動レバー２１の第１アーム２１１が中継レバー３１の突起部３１１から離れたとき、この第２トーションバネ４９の付勢力により、発光部４を伏倒状態とすることができる。
【００５８】
なお、第２トーションバネ４９の付勢力（弾性力）は、発光部４を伏倒させる際の回動摩擦よりも大きく、かつ、第１トーションバネ２５の付勢力よりも小さい。すなわち、第２トーションバネ４９の付勢力は、発光部４を伏倒させるのには十分であるるが、第１トーションバネ２５が作用したときはそれに抗することができない程度のものである。これにより、第１トーションバネ２５は、第２トーションバネ４９の付勢力に抗して、伏倒している発光部４を起立させ、その状態を維持することができる。
【００５９】
また、蓋４１の内側には、カバー４３が、ネジ４１２により取り付けられている。このネジ４１２が露出しないように、ネジ４１２は上蓋４１１で覆われている。
【００６０】
カバー４３は、発光管（ストロボ光源）４５と、リフレクター４６とを収納する。また、カバー４３には、発光した光を外部へ放出する窓４７が設置されている。この窓４７は、カバー４３に形成された窓係合部４３１と窓４７のカバー係合部４７２とが嵌合するとともに、ネジ４７１がカバー４３の下部にら合され、その頭部で挟持されることにより、カバー４３に固定されている。また、カメラ本体５には、かかるネジ４７１の頭部を収納するための凹部よりなるネジ収納部５１１が形成されている。
【００６１】
発光管４５は、例えばＸｅ管等で構成され、両端の電極４５１、電極４５１間に電圧を印加することにより、発光する。
【００６２】
この発光管４５の発光した光を窓４７の方向（図３中右側）に導光するため、発光管４５の窓４７に対向する位置（図３中左側）には、笠状のリフレクター４６が設置されている。また、リフレクター４６は、発光管４５を挟持し、固定している。
【００６３】
窓４７は、例えばフレネルレンズ等で構成され、発光管４５により発光した光およびこれがリフレクター４６で反射した光を、所定の方向に拡散する。
【００６４】
また、カバー４３には、円柱突起状のカムフォロア（従動部材）４４が設置されている。このカムフォロア４４は、駆動伝達レバー３２のカム溝３２１に挿入されている。このカムフォロア４４とカム溝３２１により、駆動伝達部３から駆動力が発光部４に伝達される。これにより、発光部４は起立することができる。
【００６５】
このように、発光部４は、カムフォロア４４と第３ヒンジ部４２との２箇所により支持されている。
【００６６】
このため、発光部４は、従来のものより強度が向上する。よって、ストロボ装置１の強度も向上する。
【００６７】
また、第３ヒンジ部４２にかかる負荷が従来のものより軽減されるので、第３ヒンジ部４２を小型化することができる。
【００６８】
また、カムフォロア４４に駆動力を伝達することにより、従来のものより、より小さい駆動力で確実に発光部４を起立させることができる。これにより、駆動始動部２および駆動伝達部３を構成する部材を小型にすることができる。従って、ストロボ装置１を小型化することが容易となる。
【００６９】
さらに、発光部４は、カムフォロア４４で駆動伝達部３に接続することにより、ストロボ装置１が伏倒状態のとき、駆動伝達レバー３２を蓋４１に略平行に位置させることができる。しかも、駆動伝達レバー３２と発光部４との距離を従来のものより小さくすることができる。従って、収納状態のときのストロボ装置１は、非常にコンパクトであり、カメラ本体５の収納スペースを小さくすることができる。
【００７０】
以下、ストロボ装置１の作用を説明する。
図１、２に示すように、ストロボ装置１が伏倒状態のときは、駆動始動レバー２１、駆動伝達レバー３２および蓋４１はほぼ平行となっている。
【００７１】
次に、図示しないレンズ鏡筒がカメラ本体５から突出する方向に移動すると、それに伴いスライドレバー２３も図１中右方向に移動する。すると、第１トーションバネ２５の付勢力により、駆動始動レバー２１が、第１ヒンジ部２２を中心に図１中反時計回りに回動する。
【００７２】
駆動始動レバー２１が図１中反時計回りに回動すると、駆動始動レバー２１の第１アーム２１１が中継レバー３１の突起部３１１に当接し、これを押圧する。
【００７３】
これにより、中継レバー３１が、第２ヒンジ部３３を中心に図１中時計回りに回動する。さらに、これと同時に駆動伝達レバー３２も、第２ヒンジ部３３を中心に図１中時計回りに回動する。
【００７４】
駆動伝達レバー３２が図１中時計回りに回動すると、カムフォロア４４が、カム溝３２１内を駆動伝達レバー３２の回転中心から離れる方向（終端部３２１１）に向かって移動する。そして、カムフォロア４４は、カム溝３２１の終端部３２１１まで移動する。すると、カム溝３２１の終端部３２１１がカムフォロア４４を押圧し、発光部４が第２トーションバネ４９の付勢力に抗して第３ヒンジ部４２を中心に図１中反時計回りに回動し、発光部４が起立する。
【００７５】
なお、駆動始動レバー２１が所定量回動すると、第１アーム２１１は、ストッパー２４に当接し、その位置で停止する。従って、駆動始動レバー２１の回動が止まる。これにより、中継レバー３１、駆動伝達レバー３２および発光部４の回動も止まる。
【００７６】
このようにして、ストロボ装置１は、図３、４に示すような起立状態になる。これにより、ストロボ装置１は、適切な方向に光を照射できるようになる。
【００７７】
次に、この状態で、前記レンズ鏡筒がカメラ本体５に収納される方向に移動するのに伴い、スライドレバー２３が図３中左方向に移動すると、スライドレバー２３が第１トーションバネ２５の付勢力に抗して駆動始動レバー２１の第２アーム２１２を押圧する。
【００７８】
スライドレバー２３が第２アーム２１２を押圧することにより、第２アーム２１２は図３中左方向へ移動し、駆動始動レバー２１が、第１トーションバネ２５の付勢力に抗して第１ヒンジ部２２を中心に図３中時計回りに回動する。
【００７９】
それと同時に、発光部４は、第２トーションバネ４９の付勢力により、第３ヒンジ部４２を中心に図３中時計回りに回動し、伏倒する。
【００８０】
発光部４が図３中時計回りに回動すると、発光部４のカムフォロア４４が、駆動伝達レバー３２のカム溝３２１内を駆動伝達レバー３２の回転中心に近づく方向（始端部３２１２）に向かって移動する。これにより、中継レバー３１の突起部３１１が駆動始動レバー２１の第１アーム２１１に追従するように、駆動伝達レバー３２と中継レバー３１が図３中反時計回りに回動する。
【００８１】
なお、発光部４が所定量回動し、発光部４の蓋４１がカメラ本体５に当接すると、発光部４の回動は止まり、発光部４の伏倒は完了する。それと同時に、駆動伝達レバー３２と中継レバー３１の回動も停止する。
【００８２】
その後も、前記レンズ鏡筒のカメラ本体５内への収納が完了するまで、駆動始動レバー２１の回動は継続し、中継レバー３１の突起部３１１に当接していた第１アーム２１１が、突起部３１１から離れる。
【００８３】
前記スライドレバー２３の移動は、一定量移動したところで止まる。すると、駆動始動レバー２１は第１トーションバネ２５で付勢されているので、駆動始動レバー２１の回動も止まる。
このようにして、ストロボ装置１は、図１に示すような伏倒状態になる。
【００８４】
以上、本発明のストロボ装置を、図示の実施例に基づいて説明したが、本発明はこれに限定されるものではなく、各部材の構成は、同様の機能を有する任意のものに置換することができる。
【００８５】
例えば、本実施例では、発光部を起立させる機構として、従動部材にカムフォロアを用い、これが駆動伝達部のカム溝と係合するカム機構を有しているが、カム機構の代わりにリンク機構を有していてもよい。また、リンク機構と、カム機構を組み合わせたものを有していてもよい。
【００８６】
また、本実施例では、レンズ鏡筒の移動に連動して発光部が起立、伏倒しているが、例えば、別途設けられたストロボ装置開閉スイッチ等に連動して発光部が起立、伏倒してもよい。
【００８７】
【発明の効果】
以上述べたように、本発明によれば、発光部支持部分の強度が高いストロボ装置を得ることができる。
【００８８】
また、ヒンジ部と従動部材とが離間することにより、小さい駆動力（小トルク）で確実に、ストロボ装置を起立、伏倒させることができる。
【００８９】
また、ストロボ装置の発光部を起立させるための駆動力を伝達する部材を小型化することができる。
【００９０】
さらに、ストロボ装置の発光部と、該発光部を起立させるための駆動力を伝達する部材との距離が小さくなるように各部材を配置できるので、ストロボ装置をカメラ本体にコンパクトに収納することができる。
【００９１】
従って、小型でコンパクトなストロボ装置を得ることができる。
また、これにより、カメラデザインの自由度も大きくなる。
【図面の簡単な説明】
【図１】本発明のストロボ装置の実施例を示す側面図である。
【図２】本発明のストロボ装置の実施例を示す正面図である。
【図３】本発明のストロボ装置の実施例を示す側面図である。
【図４】本発明のストロボ装置の実施例を示す正面図である。
【図５】図４中のＡ−Ａ線断面図である。
【図６】図４中のＢ−Ｂ線断面図である。
【図７】従来のストロボ装置を示す側面図である。
【図８】従来のストロボ装置を示す側面図である。
【符号の説明】
１          ストロボ装置
２          駆動始動部
２１        駆動始動レバー
２１１      第１アーム
２１２      第２アーム
２１３      切り欠き部
２２        第１ヒンジ部
２３        スライドレバー
２４        ストッパー
２５        第１トーションバネ
２５１      一端
２５２      他端
２６        支持部材
３          駆動伝達部
３１        中継レバー
３１１      突起部
３２        駆動伝達レバー
３２１      カム溝
３２１１    終端部
３２１２    始端部
３２２      テーパ
３２５      外方部
３２６      内方部
３３        第２ヒンジ部
４          発光部
４１        蓋
４１１      上蓋
４１２      ネジ
４２        第３ヒンジ部
４３        カバー
４３１      窓係合部
４４        カムフォロア
４５        発光管
４５１      電極
４６        リフレクター
４７        窓
４７１      ネジ
４７２      カバー係合部
４８        隙間
４９        第２トーションバネ
５          カメラ本体
５１        凹部
５１１      ネジ収納部
１１        ストロボ装置
１２        駆動始動部
１３        駆動伝達部
１３１      駆動伝達レバー
１４        発光部
１４１      ヒンジ部
１４２      中継レバー
【図１】
0003998824.tif 000002
【図２】
0003998824.tif 000003
【図３】
0003998824.tif 000004
【図４】
0003998824.tif 000005
【図５】
0003998824.tif 000006
【図６】
0003998824.tif 000007
【図７】
0003998824.tif 000008
【図８】
0003998824.tif 000009